(57)【要約】      （修正有）【課題】学術会議の講演等を安価に高画質録画し、容易に録画編集作業する録画システム及び編集機を提供し、講演会場等に出席せずに、会場にいる感覚で視聴でき、講演等の映像を資料とともに再生し聴ける学術会議等の録画、編集及び知識内容配信システムを提供することにある。【解決手段】学術会議等の講演、講義等の録画システムは、演者の映像及び音声をディジタル映像信号及びディジタル音声信号として出力する第一手段と、演者とスクリーン、又は演者とスクリーンと司会者、あるいは会場全体の該当映像及び音声をディジタル映像信号及びディジタル音声信号として出力する第二手段と、スクリーンの映像をディジタル映像信号として出力する第三手段と、第一手段ないし第三手段を同時にスタートさせるスタートボタンと、３チャネル一体型切換・圧縮ディジタル録画機を備えることを特徴とする。 【選択図】図２
2005176346.tif 000002
【特許請求の範囲】
【請求項１】
演者の映像及び音声をディジタル映像信号及びディジタル音声信号として出力する第一手段と、
演者とスクリーン、又は演者とスクリーンと司会者、あるいは会場全体の該当映像及び音声をディジタル映像信号及びディジタル音声信号として出力する第二手段と、  
スクリーンの映像をディジタル映像信号として出力する第三手段と、
前記第一手段ないし第三手段を同時にスタートさせるスタートボタンと、
３チャネル一体型切換・圧縮ディジタル録画機
とを備えた学術会議等の講演、講義等の録画システムであって、
前記３チャネル一体型切換・圧縮ディジタル録画機は、
前記第一手段ないし第三手段のそれぞれから出力された少なくともディジタル映像信号を入力する３つのチャネルと、
前記第一手段及び第二手段から出力され、前記３つのチャネルのうちの２つのチャネルに入力されたディジタル映像信号及びディジタル音声信号を切り換えるスイッチャ−と、
該スイッチャ−により切り換えられたディジタル映像信号及びディジタル音声信号をサーバにアップロード可能なディジタルデータにそれぞれ圧縮するエンコーダと、
該エンコーダで圧縮されたディジタルデータを記録する記憶部と、
前記第三手段から出力され、前記３つのチャネルのうちの残りのチャネルに入力されたディジタル映像信号をサーバにアップロード可能なディジタルデータに圧縮するエンコーダと、
該エンコーダで圧縮されたディジタルデータを記録する記憶部
とを備えることを特徴とする学術会議等の講演、講義等の録画システム。
【請求項２】
演者の映像及び演者、司会者等の音声を、ディジタル映像信号及びディジタル音声信号として出力する第一手段と、
演者とスクリーン、又は演者とスクリーンと司会者、あるいは会場全体の該当映像及び演者、司会者等の音声を、ディジタル映像信号及びディジタル音声信号として出力する第二手段と、  
スクリーンの映像をディジタル映像信号として出力する第三手段と、
３チャネル一体型切換・圧縮ディジタル録画機
とを備えた学術会議等の講演、講義等の録画システムであって、
前記３チャネル一体型切換・圧縮ディジタル録画機は、
前記第一手段ないし第三手段のそれぞれから出力された少なくともディジタル映像信号を入力する３つのチャネルと、
前記第一手段及び第二手段から出力され、前記３つのチャネルのうちの２つのチャネルに入力されたディジタル映像信号及びディジタル音声信号を切り換えるスイッチャ−と、
前記三つのチャネルから入力されたディジタル映像信号のそれぞれの映像を独立して表示し、かつ、前記スイッチャ−により切り換えられたディジタル映像信号の映像を表示する一つの画面表示装置と、
該スイッチャ−により切り換えられたディジタル映像信号及びディジタル音声信号をサーバにアップロード可能なディジタルデータにそれぞれ圧縮するエンコーダと、
該エンコーダで圧縮されたディジタルデータ(以下、本請求項において、第一ディジタルデータと言う)を記録する記憶部と、
前記第三手段から出力され、前記３つのチャネルのうちの残りのチャネルに入力されたディジタル映像信号をサーバにアップロード可能なディジタルデータに圧縮するエンコーダと、
該エンコーダで圧縮されたディジタルデータ(以下、本請求項において、第二ディジタルデータと言う)を記録する記憶部と、
第一ディジタルデータ及び第二ディジタルデータの該記憶部への記録を同時に開始するためのスタートボタンと、
を備えることを特徴とする学術会議等の講演、講義等の録画システム。
【請求項３】
請求項１または２記載の学術会議等の講演、講義等の録画システムで記録したディジタルデータ及び該ディジタルデータに対応する講演等におけるスクリーンに映し出す予定の全資料データが入力されるコンピュータを備えた学術会議等の講演、講義等の編集システムであって、
該コンピュータは、
請求項１または２記載のスイッチャ−により切り換えられた映像及び音声を再生する手段を備え、録画開始ポイント及び録画停止ポイントを入力する入力装置を備え、かつ録画開始命令を入力する入力装置と、該録画開始ポイントから録画停止ポイントまで該ディジタルデータを講演者毎の映像・音声データとして記憶し直す手段とを備え、
前記スクリーンに映し出す予定の全資料データから実際に使用された映像と同じ映像の資料データを記憶し、該記憶した資料データごとに必要に応じて画像解像度を下げ、かつ該資料データごとに識別データを付し、さらに、サーバにストリーミング可能なディジタルデータに変換し、該ディジタルデータを静止画及び又は動画スライドデータとして記憶する手段と、
請求項１または２記載の第三手段からの映像を時間情報に関連付け、かつ、入力装置により入力された前記録画開始ポイントの時間を０として前記録画停止ポイントの時間まで再生するとともに、該映像を構成するスライドイメージが切り換わった時点で入力装置により停止命令が入力されると該再生を停止するとともに前記動画及び又は静止画スライドを表示し、該切り換わったスライドイメージと同一の静止画及び又は静止画スライドが表示されない場合には、入力装置による命令により次の静止画及び又は静止画スライドを表示し、同一の静止画及び又は動画スライドが表示された場合には、入力装置による記憶命令により該静止画及び又は動画スライドデータの識別データ及び入力装置により入力されるか自動的に作成されたスライドタイトルを該停止時間とともに関連付けて記憶し、これを、前記映像再生が終了するまで繰り返し、前記時間情報に該識別データ及び該スライドタイトルが関連付けられた同期信号付きスライドタイトルデータとして記憶する手段と、
前記講演者毎の映像・音声を時間情報と関連付けて再生するとともに、前記同期信号付きスライドタイトルデータに含まれるスライドタイトルを表示し、該同期信号付きスライドタイトルデータに含まれる時間情報と同一時間になった場合に該時間情報に関連する識別データが付された静止画及び又は静止画スライドを表示する同期信号付講演者映像であって、該表示されたスライドタイトルを入力装置により選択されると該スライドタイトルに関連する時間から講演者毎の映像・音声が再生されるデータを同期信号付講演者映像データとして記憶する手段
とを備えることを特徴とする学術会議等の講演、講義等の編集システム。
【請求項４】
請求項３記載の同期信号付講演者映像データから作成された、スライドタイトル及び識別データが時間情報と関連付けられた同期データと、静止画及び又は静止画スライドに前記識別データが付されたスライドイメージデータと、ストリーミング再生可能にするための再生制御プログラムが格納された第一サーバと、
前記同期信号付講演者映像から作成された時間情報に関連付けて再生される講演者映像・音声のデータが格納された第二サーバと、
前記第一サーバ及び第二サーバと通信可能なコンピュータ
とを備えた学術会議等の講演、講義等の知識内容配信システムであって、
前記コンピュータは、
前記第一サーバから、前記同期データ及び前記スライドイメージデータ並びに前記再生制御プログラムをダウンロードする手段と、
講演者映像・音声のデータの映像及び音声を前記ダウンロードした再生制御プログラムの指令により時間情報と関連付けてストリーミング再生するとともに、前記ダウンロードした同期データに含まれるスライドタイトルを表示し、該同期データに含まれる時間情報と同一時間になった場合に該時間情報に関連する識別データが付されたスライドイメージを表示し、該表示されたスライドタイトルを入力装置により選択されると該スライドタイトルに関連する時間から前記講演者映像・音声のデータの映像及び音声をストリーミング再生する手段
とを備えることを特徴とする学術会議等の講演、講義等の知識内容配信システム。
【請求項５】
演者の映像及び演者、司会者等の音声を、ディジタル映像信号及びディジタル音声信号として出力する第一手段と、
演者とスクリーン、又は演者とスクリーンと司会者、あるいは会場全体の該当映像及び演者、司会者等の音声を、ディジタル映像信号及びディジタル音声信号として出力する第二手段と、  
スクリーンの映像をディジタル映像信号として出力する第三手段と、
該第三手段でスクリーンに映し出す予定の全映像データのうち必要な映像を、識別情報を付してディジタル映像信号として出力する第四手段と、
コンピュータとを備える学術会議等の講演、講義等の知識内容配信システムであって、
該コンピュータは、
前記第一手段と第二手段から入力されたディジタル映像信号等を適宜切り換えながらどちらか一方をディジタルデータとして記憶するとともに、前記第三手段から入力されたディジタル映像信号をディジタルデータとして記憶する手段と、
該ディジタル映像信号等のディジタルデータとしての記憶を同時に行わせる手段と、
該記録された第三手段からの映像を時間情報に関連付けて再生させ、映像切り換え時に再生を停止し、かつ、前記第四手段により出力された映像を表示し、該停止されている映像と該表示されている映像が異なる場合、入力装置により該表示されている映像を順次切り換え、同一の場合、該映像に付された識別情報と停止時間を記録し、かつ、これを映像再生終了まで繰り返す手段と、
前記記録された第一手段と第二手段からの適宜切り換えられた映像等を時間情報に関連付けて再生するし、かつ、前記同期データから前記停止時間と同一の再生時間に該停止時間に対応する識別情報を有する前記第四手段からの映像を表示する手段もしくは前記表示された手段及び又は、前記識別情報の一覧を表示し、該識別情報の一覧から任意の識別情報が入力装置により選択されると該識別情報を有する前記第四手段からの映像を表示するとともに該識別情報に対応する停止時間から前記記録された第一手段と第二手段からの適宜切り換えられた映像等を再生する手段
とを備えることを特徴とする学術会議等の講演、講義等の知識内容配信システム。
【発明の詳細な説明】
【技術分野】
【０００１】
本発明は、学術会議等の講演、講義、授業、発表等を録画、編集及び配信するための録画システム、編集システム及び配信システムに関する。さらに学術会議等において、全会員参加の学術振興を目的として、講演会及び講義、授業等の知識内容配信サービス及び講演者と受講者の交流支援に関し、特に、インターネット等の広帯域通信媒体を介して全演題（講演・発表記録）を動画と資料で配信を行う動画配信システム及びインターネット等の広帯域通信媒体を介した講演者と受講者の意見交換支援に関する。
【背景技術】
【０００２】
従来のインターネット通信は電話回線やＩＳＤＮ回線等の数十ｋｂｐｓの回線技術によるものが主体であった。近年、大容量、高速通信を可能とした様々なブロードバンド環境が急速に普及し、動画等の配信が可能となった。また、インターネット通信費の大幅な値下げにより、インターネットが広く一般に普及した。また、ストリーミングメディアの品質向上により、高品質な動画を回線を通じて簡単に提供することが可能となった。それに従い、学校等の教育機関等によって開催される講演をインターネットを介して配信することも可能となっている。
【０００３】
例えば、講義に関連した動画や音声データを含む講義のデータを各講義毎に蓄積しておき、特定科目のスケジュールの表示を要求する出力があった場合に、講義をオンライン配信可能なものとし、現時点で書込可能な電子掲示板を示すスケジュール表を生成し、パソコンに送信するサービスが開発されている（特許文献１）。また、動画をリアルタイムに配信するサービスが開発されている（特許文献２）。
【０００４】
さらにまた、撮像した動画像を外部へ配信する配信装置において、取り込むべき複数の画像領域を設定する手段と、設定した一の画像領域についての動画像を時間情報に対応させて記憶する手段と、設定した他の画像領域についての画像の変化を検出する手段と、画像の変化を検出した場合に、前記他の画像領域の静止画像及び時間情報を記憶する手段と、予め用意されているファイル群から、前記記憶した静止画像に対応するファイルを抽出する手段と、前記記憶した動画像及び前記抽出したファイルを時間情報に基づいて同期させて外部へ配信する手段とを備えることを特徴とする配信装置が開発されている（特許文献３）。
【０００５】
また、実時間の講義教育の進行と同時に講義内容を実時間で録画格納することができ、格納されているコンテンツを非実時間で編集できるようにしたマルチメディア電子学習システムおよび学習方法及び講義進行の間、質疑応答のための発言権の付与、音声およびテキストを用いたチャット、画面共有等の機能と、コンテンツに適用される全てのイベントの発生、終了時間、または維持時間を設定することにより、コンテンツの再生の際にイベントを適時に発生させることのできるマルチメディア電子学習システムおよび学習方法が開発されている（特許文献４）。
【０００６】
【特許文献１】特開２００２−２９７０１１号公報（詳細な説明）
【特許文献２】特開２００３−２０９８２８号公報（詳細な説明）
【特許文献３】特開２００２−３７４５２５号公報（請求の範囲）
【特許文献４】特開２００２−２０２９４１号公報（詳細な説明）
【発明の開示】
【発明が解決しようとする課題】
【０００７】
一方、これまでの通常の学術会議等においては、参加人たちのみが情報を得ることが可能であり、参加できなかった人達は、資料、文章でしか情報を得ることが出来なかった。また、ビデオ収録、公開を行うにも膨大な経費と時間が必要であり、部分的なものに止まり、現実的ではなかった。特に、ビデオ収録に使用する機材や収録されたものを編集するためのスイッチャ−等の機材は高価であり、さらに一度収録したものを編集するために収録したものを何度も再生する必要が生じてしまい編集作業に膨大な時間が必要となっている。さらに、学術会議等の講演、発表、講義等の収録には外部会場の使用が多く、必要な収録・録画機材を搬入・設置しなければならない。そして、映像と音声は同じ時間軸で収録しなければならない。低コストでの収録・録画のためにはできるだけ少ない機材で収録・録画を可能にする必要がある。
【０００８】
また、実際ビデオ収録、公開をインターネット上で行う場合、講演者の映像及び音声とその場で用いられた資料の映像を公開することは可能であったが、重要な情報源である資料画像は不鮮明であった。また、もう一度その資料についての解説を聞く際に、手動で適宜巻き戻すなど、手間がかかった。
【０００９】
上記の様に、従来の学術会議等の講演、講義は講演者、原著論文者等の知識内容を教授する者の発表内容を記録する手段を持たなかったため、参加したくとも出来なかった会員、参加したが視聴できなかった会員にとっては、資料（抄録）等の文章でしか情報をえることができず、図を含んだ発表資料は勿論、研究者の交流のための電子的連絡先も入手できなかった。また、ビデオ収録、公開を行うにも膨大な経費と時間が必要であり、現実的ではなかった。また、講演、講義等とともに撮影される資料の映像は概して不鮮明なものであり、情報源として有効性が低かった。
【００１０】
ここで、特許文献３記載の発明によれば、講演等に使用される資料の映像を記憶した静止画像に対応するファイルを抽出する（特許文献３の請求項２参照）ことにより、鮮明な資料映像を得ることが可能となるが、該発明は、１台のカメラを用いるため（特許文献３の発明の詳細な説明段落０００９参照）、講演者及びスクリーンを常に撮影する必要があるため、例えば、講演者のみをアップにして撮影できないため、講演者の画像が不鮮明となってしまうという不都合がある。さらにまた、「１台のカメラを用いて領域毎に分割して取り込み、撮像領域の撮像対象に応じて適宜編集」(引用文献１の明細書[０００８]参照)するため、撮像領域の外での動き、例えば撮像対象（講演者等）が撮像領域の外に出てしまった場合等、会場に変化があった場合には撮像対象（講演者等）を撮影できないことになり、また、例えば質疑応答の際に会場全体の雰囲気がわからないという不都合がある。
【００１１】
さらに、特許文献4記載の発明では、講義等の収録について取り直しができるものを想定しているため、取り直しができない事が多い学術会議等の講演、講義等には使用できない。
【００１２】
本発明は上記の点に鑑みてなされたもので、その目的とするところは、学術会議等の講演、講義等を安価に確実に高画質録画するとともに、録画したものの編集作業の時間短縮及び容易化するための録画システム及び編集システムを提供することにある。さらに、講演会場、研修会場等に直接出席しなくとも、講演等の内容を実際、会場に出席して聴いている感覚で視聴でき、しかも鮮明なスクリーン画像を見ながら講演，授業，講義等を実用的な再生性能で、両方向から(時間の経過、及び、資料名または資料番号)関連付けられた映像を資料とともに再生し聴くことが出来る学術会議等の講演、講義等の録画システム、編集システム、及び知識内容配信システムを提供することにある。
【課題を解決するための手段】
【００１３】
上記問題を解決するため請求項１記載の学術会議等の講演、講義等の録画システムは、演者の映像及び音声をディジタル映像信号及びディジタル音声信号として出力する第一手段と、
演者とスクリーン、又は演者とスクリーンと司会者、あるいは会場全体の該当映像及び音声をディジタル映像信号及びディジタル音声信号として出力する第二手段と、  
スクリーンの映像をディジタル映像信号として出力する第三手段と、
前記第一手段ないし第三手段を同時にスタートさせるスタートボタンと、
３チャネル一体型切換・圧縮ディジタル録画機
とを備えた学術会議等の講演、講義等の録画システムであって、
前記３チャネル一体型切換・圧縮ディジタル録画機は、
前記第一手段ないし第三手段のそれぞれから出力された少なくともディジタル映像信号を入力する３つのチャネルと、
前記第一手段及び第二手段から出力され、前記３つのチャネルのうちの２つのチャネルに入力されたディジタル映像信号及びディジタル音声信号を切り換えるスイッチャ−と、
該スイッチャ−により切り換えられたディジタル映像信号及びディジタル音声信号をサーバにアップロード可能なディジタルデータにそれぞれ圧縮するエンコーダと、
該エンコーダで圧縮されたディジタルデータを記録する記憶部と、
前記第三手段から出力され、前記３つのチャネルのうちの残りのチャネルに入力されたディジタル映像信号をサーバにアップロード可能なディジタルデータに圧縮するエンコーダと、
該エンコーダで圧縮されたディジタルデータを記録する記憶部
とを備えることを特徴とする。
【００１４】
上記問題を解決するため請求項２記載の学術会議等の講演、講義等の録画システムは、演者の映像及び演者、司会者等の音声を、ディジタル映像信号及びディジタル音声信号として出力する第一手段と、
演者とスクリーン、又は演者とスクリーンと司会者、あるいは会場全体の該当映像及び演者、司会者等の音声を、ディジタル映像信号及びディジタル音声信号として出力する第二手段と、  
スクリーンの映像をディジタル映像信号として出力する第三手段と、
３チャネル一体型切換・圧縮ディジタル録画機
とを備えた学術会議等の講演、講義等の録画システムであって、
前記３チャネル一体型切換・圧縮ディジタル録画機は、
前記第一手段ないし第三手段のそれぞれから出力された少なくともディジタル映像信号を入力する３つのチャネルと、
前記第一手段及び第二手段から出力され、前記３つのチャネルのうちの２つのチャネルに入力されたディジタル映像信号及びディジタル音声信号を切り換えるスイッチャ−と、
前記三つのチャネルから入力されたディジタル映像信号のそれぞれの映像を独立して表示し、かつ、前記スイッチャ−により切り換えられたディジタル映像信号の映像を表示する一つの画面表示装置と、
該スイッチャ−により切り換えられたディジタル映像信号及びディジタル音声信号をサーバにアップロード可能なディジタルデータにそれぞれ圧縮するエンコーダと、
該エンコーダで圧縮されたディジタルデータ(以下、本請求項において、第一ディジタルデータと言う)を記録する記憶部と、
前記第三手段から出力され、前記３つのチャネルのうちの残りのチャネルに入力されたディジタル映像信号をサーバにアップロード可能なディジタルデータに圧縮するエンコーダと、
該エンコーダで圧縮されたディジタルデータ(以下、本請求項において、第二ディジタルデータと言う)を記録する記憶部と、
第一ディジタルデータ及び第二ディジタルデータの該記憶部への記録を同時に開始するためのスタートボタンと、
を備えることを特徴とする。
【００１５】
上記問題を解決するため請求項３記載の学術会議等の講演、講義等の編集システムは、請求項１または２記載の学術会議等の講演、講義等の録画システムで記録したディジタルデータ及び該ディジタルデータに対応する講演等におけるスクリーンに映し出す予定の全資料データが入力されるコンピュータを備えた学術会議等の講演、講義等の編集システムであって、
該コンピュータは、
請求項１または２記載のスイッチャ−により切り換えられた映像及び音声を再生する手段を備え、録画開始ポイント及び録画停止ポイントを入力する入力装置を備え、かつ録画開始命令を入力する入力装置と、該録画開始ポイントから録画停止ポイントまで該ディジタルデータを講演者毎の映像・音声データとして記憶し直す手段とを備え、
前記スクリーンに映し出す予定の全資料データから実際に使用された映像と同じ映像の資料データを記憶し、該記憶した資料データごとに必要に応じて画像解像度を下げ、かつ該資料データごとに識別データを付し、さらに、サーバにストリーミング可能なディジタルデータに変換し、該ディジタルデータを静止画及び又は動画スライドデータとして記憶する手段と、
請求項１または２記載の第三手段からの映像を時間情報に関連付け、かつ、入力装置により入力された前記録画開始ポイントの時間を０として前記録画停止ポイントの時間まで再生するとともに、該映像を構成するスライドイメージが切り換わった時点で入力装置により停止命令が入力されると該再生を停止するとともに前記動画及び又は静止画スライドを表示し、該切り換わったスライドイメージと同一の静止画及び又は静止画スライドが表示されない場合には、入力装置による命令により次の静止画及び又は静止画スライドを表示し、同一の静止画及び又は動画スライドが表示された場合には、入力装置による記憶命令により該静止画及び又は動画スライドデータの識別データ及び入力装置により入力されるか自動的に作成されたスライドタイトルを該停止時間とともに関連付けて記憶し、これを、前記映像再生が終了するまで繰り返し、前記時間情報に該識別データ及び該スライドタイトルが関連付けられた同期信号付きスライドタイトルデータとして記憶する手段と、
前記講演者毎の映像・音声を時間情報と関連付けて再生するとともに、前記同期信号付きスライドタイトルデータに含まれるスライドタイトルを表示し、該同期信号付きスライドタイトルデータに含まれる時間情報と同一時間になった場合に該時間情報に関連する識別データが付された静止画及び又は静止画スライドを表示する同期信号付講演者映像であって、該表示されたスライドタイトルを入力装置により選択されると該スライドタイトルに関連する時間から講演者毎の映像・音声が再生されるデータを同期信号付講演者映像データとして記憶する手段
とを備えることを特徴とする。
【００１６】
上記問題を解決するため請求項４記載の学術会議等の講演、講義等の知識内容配信システムは、
請求項３記載の同期信号付講演者映像データから作成された、スライドタイトル及び識別データが時間情報と関連付けられた同期データと、静止画及び又は静止画スライドに前記識別データが付されたスライドイメージデータと、ストリーミング再生可能にするための再生制御プログラムが格納された第一サーバと、
前記同期信号付講演者映像から作成された時間情報に関連付けて再生される講演者映像・音声のデータが格納された第二サーバと、
前記第一サーバ及び第二サーバと通信可能なコンピュータ
とを備えた学術会議等の講演、講義等の知識内容配信システムであって、
前記コンピュータは、
前記第一サーバから、前記同期データ及び前記スライドイメージデータ並びに前記再生制御プログラムをダウンロードする手段と、
講演者映像・音声のデータの映像及び音声を前記ダウンロードした再生制御プログラムの指令により時間情報と関連付けてストリーミング再生するとともに、前記ダウンロードした同期データに含まれるスライドタイトルを表示し、該同期データに含まれる時間情報と同一時間になった場合に該時間情報に関連する識別データが付されたスライドイメージを表示し、該表示されたスライドタイトルを入力装置により選択されると該スライドタイトルに関連する時間から前記講演者映像・音声のデータの映像及び音声をストリーミング再生する手段
とを備えることを特徴とする。
【００１７】
上記問題を解決するため請求項４記載の学術会議等の講演、講義等の知識内容配信システムは、
演者の映像及び演者、司会者等の音声を、ディジタル映像信号及びディジタル音声信号として出力する第一手段と、
演者とスクリーン、又は演者とスクリーンと司会者、あるいは会場全体の該当映像及び演者、司会者等の音声を、ディジタル映像信号及びディジタル音声信号として出力する第二手段と、  
スクリーンの映像をディジタル映像信号として出力する第三手段と、
該第三手段でスクリーンに映し出す予定の全映像データのうち必要な映像を、識別情報を付してディジタル映像信号として出力する第四手段と、
コンピュータとを備える学術会議等の講演、講義等の知識内容配信システムであって、
該コンピュータは、
前記第一手段と第二手段から入力されたディジタル映像信号等を適宜切り換えながらどちらか一方をディジタルデータとして記憶するとともに、前記第三手段から入力されたディジタル映像信号をディジタルデータとして記憶する手段と、
該ディジタル映像信号等のディジタルデータとしての記憶を同時に行わせる手段と、
該記録された第三手段からの映像を時間情報に関連付けて再生させ、映像切り換え時に再生を停止し、かつ、前記第四手段により出力された映像を表示し、該停止されている映像と該表示されている映像が異なる場合、入力装置により該表示されている映像を順次切り換え、同一の場合、該映像に付された識別情報と停止時間を記録し、かつ、これを映像再生終了まで繰り返す手段と、
前記記録された第一手段と第二手段からの適宜切り換えられた映像等を時間情報に関連付けて再生するし、かつ、前記同期データから前記停止時間と同一の再生時間に該停止時間に対応する識別情報を有する前記第四手段からの映像を表示する手段もしくは前記表示された手段及び又は、前記識別情報の一覧を表示し、該識別情報の一覧から任意の識別情報が入力装置により選択されると該識別情報を有する前記第四手段からの映像を表示するとともに該識別情報に対応する停止時間から前記記録された第一手段と第二手段からの適宜切り換えられた映像等を再生する手段
とを備えることを特徴とする。
【００１８】
上記の問題点を解決するために、学術会議等の講演、講義を演題ごとに撮影しながら、同時に動画配信可能なデータ形式に変換しサーバに記録し、また、同時に、説明図資料と同期させるための同期情報もサーバに記録し、事後、この同期情報に基づいて、図資料を動画に同期させるために半自動編集で動画サーバに蓄積し、視聴者の選択に基づいて個々の資料を含む講演・論文発表内容を広帯域通信媒体を会して動画サーバよりストリーミング配信する動画配信システムである。参加できなかった会員、参加したが視聴できなかった会員に対して、時間的制約なしで、繰り返し視聴することを可能にし、視聴したい内容に会員クライアントから短距離(両方向：時間経過、資料名または資料番号)でアクセスを可能にする。
【００１９】
当該動画配信システムは講演、講義等の知識内容配信を望む者に会員となってもらい、該会員となった者へのサービスを目的としている。従って、前記講演、講義等の知識内容配信を望む者が会員登録を行うこと、及び会員となった者を確認するための会員認証が必要である。例えば、会員登録には「名前」、「会員番号」、「パスワード」、「メールアドレス」、パスワード紛失などの場合に備え本人を確認するための「質問と答え」を会員クライアントより入力し、管理サーバに記録しておき、視聴者の識別子として使用することもできる。
【発明の効果】
【００２０】
請求項１及び２記載の発明では、アナログ入力を使用するスイッチャーは高価だがディジタル入力の例えばソフトウエアによるスイッチャ−により安価に映像信号等を切り換える手段を提供することが可能となる。また、講演等を記録している最中に映像等を切り替えることにより、後の編集で映像等を切り替えるために該記録した映像を再度再生する必要がないため編集作業の時間短縮となる。また、編集作業も容易となる。さらに、切り換え作業には、切り換え対象の映像等の数だけモニターを用意する必要があるが、録画中に切り換え作業をしてしまうので、切り換え対象の映像等の数だけモニターを用意する必要もなくなる。圧縮録画する形式は動画サーバに直接アップロード可能なストリーミング形式（例えば、Ｍａｃｒｏｍｅｄｉａ社のＦＬＶ形式）のため、再度キャプチャーしストリーミング形式に変換（圧縮）する手間が不要になり編集時間を大幅に省ける。特に録画後にデータを変換する場合、実際の録画時間の三倍以上も係ってしまうため録画現場でデータを変換することは特に編集時間を省略できる。また、演者の映像専用の取り出し手段があるため、演者の映像も鮮明に記録が可能となる。さらに、例えば撮像対象（講演者等）が撮像領域の外に出てしまった場合等、会場に変化があった場合には、第一手段と第二手段からの映像等を切り替えて記録することにより撮像対象（講演者等）を撮影できないと言うことがなく、また、例えば質疑応答の際にも会場全体の雰囲気がわかる。請求項２記載の発明では、三つの映像及び録画対象の映像を一つの画面に表示するため、録画対象の映像の監視が容易となり、かつ上記のように複数のモニターも不要となる。
【００２１】
請求項３記載の発明により、事前に回収したスライド画像と講演、講義等の内容を同期させることにより、より鮮明なスライド画像を提供することが可能となる。さらに、一つのコンピュータにより編集を行うため、編集作業を簡略化でき、さらに経費も節約できる。
【００２２】
請求項４及び５記載の発明により、学術会議等の講演、講義等に参加できなかった会員、参加したが視聴できなかった会員に対して、時間的制約なしで、繰り返し視聴することを可能にし、視聴したい内容に会員クライアントから容易なアクセスを可能とする。
【００２３】
また、遠近を問わず情報の共有が可能となり、効果的で質の高い情報伝達がもたらされ、いつでも何度でも繰り返し見ることが可能であり、国内及び海外へ日時を問わず配信が可能となる。また、低コストでの情報提供が可能である。
【００２４】
また、更に実際の講演、講義等で理解が困難であった場合においても、学術会議等の講演、講義等をインターネット上で繰り返し閲覧することで会員のより確実な理解が得られる。特に、資料ごとに映像及び音声の頭出しが可能であるため、重要な資料についての解説を容易に何度も視聴することができる。
【００２５】
また、何らかの事情で学術会議等の講演、講義等に参加できない場合でも、講演、講義等講演の臨場感をそのままに講演内容を聞くことが可能である。一方、学術会議等複数の講演が同時に行われる場合、他の講演に参加していて同時間帯に行われた別の講演内容を聞き逃した場合においても、オンデマンド配信で学術会議の情報を提供をすることが可能であり、知識・情報共有の質とスピードアップが図れる。
【００２６】
また、本発明は学術会議に限らず、市民公開講座等、一般的な公開講座及び公開を目的としない講座、企業内の研修や研究発表等、図面と関連付けた知識内容提供の多様な場において使用可能であり、同様の効果を得られる。特に、取り直しのできない講座、授業等において有効である。市民公開講座を聞き逃した、もしくは事後に知った等の場合、講演終了後においても幅広く、実際に参加したのと変わらない講演内容を提供することが可能である。さらに、高齢者や障害者など、心身の機能に制約のある人でも図面により理解ができる場合もあり、会場まで行かずに視聴できる。その結果、地域への貢献、大学等教育機関/団体/組織の認知度、知名度の向上に繋がる。
【発明を実施するための最良の形態】
【００２７】
以下、本発明の一実施例を図に基づいて説明する。
【００２８】
まず、本発明の一例として、学術会議における実施例の概略を図1ないし図3に基づいて説明する。ここで、図１は本発明の一実施例を示す映像・音声・スライド収録／編集／再生機の構成図である。図２は本発明の一実施例を示す同期スライド付映像・音声収録編集機を示す。図３は本発明の一実施例を示す学術会議向け同期スライド付映像・音声ストリーミング再生機を示す。      
【００２９】
本発明における学術会議の映像・音声・スライドの収録、編集及び再生は、図１に示す通り、２段階で行う。第一段階では同期スライド映像・音声収録及び編集を行い、Ｗｅｂ＆Ｓｔｒｅａｍｉｎｇサーバ１０にアップロードを行う。第二段階ではアップロードされたスライド、映像・音声及びそれらを同期させるスライドデータの再生を行う。それぞれの段階のシステムを以降、ＢＢＶＩＳＴＡ１号１（同期スライド付映像・音声収録編集機）、ＢＢＶＩＳＴＡ２号２（同期スライド付映像・音声ストリーミング再生機）とする。
【００３０】
図２はＢＢＶＩＳＴＡ１号１の機構である。第一手段３は映像を取り出す（撮影する）カメラ及び音声を取り出すマイクからなる（図２参照）。また、第二手段４は映像を取り出す（撮影する）カメラ及び音声を取り出すマイクからなる（図２参照）。該第一手段３のマイク及び該第二手段４のマイクにより取り出された音声は、それぞれ図２に示すように該第一手段３のカメラ及び該第二手段４のカメラに一度それぞれ入力される。
【００３１】
前記第一手段３のカメラ及びマイクは、演者の映像及び音声を取り出す。そして、必要に応じてバックアップ等のため、該映像及び音声を該カメラに備えられた記録媒体に記録する。前記第二手段４のカメラ及びマイクは、演者とスクリーン、又は演者とスクリーンと司会者、あるいは会場全体の該当映像及び音声を取り出す。そして、必要に応じてバックアップ等のため、該映像及び音声を該カメラに備えられた記録媒体に記録する。
【００３２】
第三手段５は映像を取り出す（撮影する）カメラ、もしくは演者が用いるスライドプロジェクター等から直接映像がアナログＲＧＢ入力等により取り出す（ライン入力される）カメラからなる（図２参照）。
【００３３】
前記第三手段５のカメラは、演者がスクリーンに映し出す映像を取り出す（撮影する）、または、演者が用いるパソコン内のプレゼンテーションソフト等によって作成された映像もしくはパソコンに接続したスライドプロジェクター等の映像を直接ライン入力で取り出す。そして、必要に応じてバックアップ等のため、該映像及び音声を該カメラに備えられた記録媒体に記録する。
【００３４】
スクリーンに映し出す方法としてはパソコンに接続したスライドプロジェクターの映像を映す、フィルムの映像をスライドプロジェクターによって映す、ＯＨＰシートの画像をオーバーヘッドプロジェクターで映す等の方法がある。そして、前記ライン入力で映像を取り出す場合は、該スライドプロジェクター、オーバーヘッドプロジェクター等から映像が直接前記第三手段５のカメラにライン入力される。
【００３５】
なお、前記第一手段３及び第二手段４のカメラは取り出した映像及び入力された音声をディジタル映像信号及びディジタル音声信号として３チャネル一体型切換・圧縮ディジタル録画機６に出力（図２参照）する手段を有するカメラを適宜使用する。さらに、前記第三手段５のカメラは取り出した映像をディジタル映像信号として３チャネル一体型切換・圧縮ディジタル録画機６に出力（図２参照）する手段を有するものを適宜使用する。
【００３６】
例えば、前記第一手段３のカメラは第一ディジタルビデオカメラにより実現され、前記第二手段４のカメラは第二ディジタルビデオカメラにより実現され、前記第三手段５のカメラは第三ディジタルビデオカメラにより実現される。この場合、取り出した映像及び音声は、ディジタルカメラ内でディジタルデータに変換され、ディジタル信号として出力される。また、必要に応じて、該第一ないし第三ディジタルビデオカメラのそれぞれは該ディジタルデータを記憶部等に記録する。ディジタルビデオカメラについては、市販されているもの等の広く用いられているものを用いることができる。
【００３７】
なお、第一手段３のマイク及び第二手段４のマイクに変えて、音声については演者の音声及び演者以外の者である司会者等の音声がそれぞれ専用マイクで取り出され、該専用マイクで取り出された音声が前記第一手段３のカメラ及び第二手段４のカメラによりそれぞれ取り出される（ライン入力される）ようにしてもよい。すなわち、この場合、演者の音声及び演者以外の者である司会者等の音声は、それぞれ専用のマイクで取り出され、ミキサー等によりミキシングされ、該第一手段３のカメラ及び該第二手段４のカメラにそれぞれライン入力される。このため、第一手段３のカメラ及び第二手段４のカメラに入力される音声は、同一の音声となる。また、マイクの取り出す音声は適宜変更し得る。さらにここで、司会者等とは司会者の他、講演等において発言する質問者等の演者以外の者をいう。また、演者は一人とは限らずパネリスト等も含む概念である。
【００３８】
また、スクリーンに映像を映す方法として、演者がパソコンやスライドプロジェクター等を使用する場合、該パソコン及びスライドプロジェクター等がディジタル出力を有している場合には、前記第三手段５として、該パソコン及びスライドプロジェクター等から前記第三手段５のカメラに該映像をディジタル入力し、該第三手段５のカメラから該映像を前記３チャネル一体型切換・圧縮ディジタル録画機６にディジタル映像信号として出力してもよいが、該パソコン及びスライドプロジェクター等から前記３チャネル一体型切換・圧縮ディジタル録画機６に直接ディジタル映像信号として出力してもよい。
【００３９】
前記第一手段３ないし第三手段５からディジタル映像信号等として出力された映像等は、前記３チャネル一体型切換・圧縮ディジタル録画機６の第一ないし第三ディジタル入力(３つのチャネル)にそれぞれ入力される（図２参照）。そして、該入力された映像等を該３チャネル一体型切換・圧縮ディジタル録画機６のモニターで閲覧監視する。該入力された第一手段３及び第二手段４により取り出された映像及び音声はスイッチャ−６aによって状況に応じて、例えば講演者による講演が行われている間は第一手段３で講演者を、司会者により質疑応答が行われている間は第二手段４で司会者と質問者が入る様に会場全体を、といった具合にオペレーターにより、もしくは自動で切替え、第一エンコーダ６ｂによってＷｅｂ＆Ｓｔｒｅａｍｉｎｇサーバ１０にアップロード可能な形式（例えばＭａｃｒｏｍｅｄｉａ社のＦＬＶ形式、または、Ｍｉｃｒｏｓｏｆｔ社のＷＭＶ、ＡＳＦ形式等）の映像と音に変換(圧縮)する(図２参照)。前記第三手段５によって撮影あるいはプロジェクターに接続されたアナログＲＧＢ出力等より得られる資料の映像（スクリーンに映し出す映像）は第二エンコーダ６ｃによってＷｅｂ＆Ｓｔｒｅａｍｉｎｇサーバ１０にアップロード可能な形式の映像に変換(圧縮)する(図２参照)。該第一及び第二エンコーダ６ｃにより変換された映像等は、該３チャネル一体型切換・圧縮ディジタル録画機６の有するハードディスク内等の記憶部にそれぞれ記録される(図２参照)。
【００４０】
該第一手段３及び第二手段４並びに第三手段５のスタートボタンは１つであり、前記スタートボタンを押すと、前記第一及び第二手段４の映像及び音声、及び第三手段５の映像を同時にかつ、第一手段３ないし第三手段５ごとに３チャネル一体型切換・圧縮ディジタル録画機６にそれぞれディジタル入力される（図２参照）。例えば前記第一手段３のカメラ、第二手段４のカメラ、第三手段５のカメラ等及び前記スタートボタンに有線または無線による通信手段が設けられ、該スタートボタンを押すと該スタートボタンから信号が該通信手段により前記第一手段３ないし第三手段５のカメラにそれぞれ送信され、映像等の取り出しが同時に開始される。そして、第一手段３ないし第三手段５ごとに取り出した映像等が記録（ディジタル録画）できる状態となっている３チャネル一体型切換・圧縮ディジタル録画機６にそれぞれディジタル信号としてディジタル入力され（図２参照）、該映像等がディジタルデータとして記憶部内に記録される。
【００４１】
なお、スタートボタンは前記３チャネル一体型切換・圧縮ディジタル録画機６に設けてもよい。この場合、映像等の記録（ディジタル録画）前から該映像等が第一手段３ないし第三手段５から該３チャネル一体型切換・圧縮ディジタル録画機６に入力される。そして、前記第一手段３ないし第三手段５から該３チャネル一体型切換・圧縮ディジタル録画機６に入力されているそれぞれの映像等の記録（ディジタル録画）がスタートボタンを押すことにより、同時に開始される。
【００４２】
スタートボタンを備えた３チャネル一体型切換・圧縮ディジタル録画機６の具体的内容は後述する。
【００４３】
上記３チャネル一体型切換・圧縮ディジタル録画機６によってデータ変換及び記録された上記第三手段５により取り出された映像のディジタルデータは、ディジタル映像信号として図２の同期信号付きスライドタイトル編集機８に入力し、図２の同期信号発生部において講演者がスライドを変えた時点を信号として入力する。同期信号の入力は前段階の３チャネル一体型切換・圧縮ディジタル録画機６で行うことも可能である。
【００４４】
一方、あらかじめコピーを行った上記第三手段５でスクリーンに映し出す予定の映像データ（図２においては資料データといい、動画及び静止画が含まれる。）を、第四手段により全映像データ(全資料データ)のうち必要な映像データ(資料データ)を記録編集し、Ｗｅｂサーバ１０にアップロード可能な形式のイメージデータに変換する。具体的には、プレゼンテーションソフト等により作成され持ち込まれた映像データ(資料データ)、もしくは講演においてスライドプロジェクターで使用されたフィルム、オーバーヘッドプロジェクターで使用されたＯＨＰシートの画像等をスキャナー等でディジタルデータとして取り込み、その映像データから講演で実際に使用された映像(資料データ)と同じ映像データ(資料データ)を取り出す。更に、映像の順序を必要に応じて講演においてスクリーンに映し出される内容に合わせて効率良く順次並べ替える。続いてＷｅｂサーバ１０にアップロード可能な形式のイメージデータ（例えばＪＰＥＧ形式）に変換する。該イメージデータに変換した映像データ(資料データ)は静止画及び又は動画スライドとして同期スライド付き映像編集機１２及び同期信号付スライドタイトル編集機８に出力する(図２参照)。
【００４５】
上記第四手段から静止画及び又は動画スライドを出力し（図２参照）、上記同期信号付きスライドタイトル編集機８に入力する(図２参照)。上記同期信号付きスライドタイトル編集機８に入力されたそれぞれの資料に対する同期信号に、該資料に対応する静止画及び又は動画スライドのタイトルを付け、同期信号付きスライドタイトルとする。
【００４６】
前記第四手段及び同期信号付きスライドタイトル編集機８の具体的内容は後述する。
【００４７】
一方、上記３チャネル一体型切換・圧縮ディジタル録画機６によって録画、データ変換された上記第一手段３及び第二手段４により取り出され切り換えられた映像及び音声は、カット映像編集機７に入力し、前後の不要な映像・音を削除し、講演者毎の映像・音に分割する。
【００４８】
該カット映像編集機７の具体的内容は後述する。
【００４９】
上記同期信号付きスライドタイトル編集機８から出力した上記同期信号付きスライドタイトル、及び第四手段９から出力した静止画及び又は動画スライドは、同期スライド付き映像編集機１２に入力する（図２参照）。次に前記同期信号付きスライドタイトルを用いてスライド画像と講演者映像を同期させる。講演者映像に同期したスライドは講演者映像の再生時間経過とともに同期したスライド画像とスライドタイトルが表示され、スライドタイトルに同期した講演者映像は任意に選択されたスライドタイトルとスライド画像に同期して再生されるように編集された同期スライド付講演者映像は、一般的なブラウザソフトに対応するプラグインツール、例えばＭａｃｒｏｍｅｄｉａ社のＦｌａｓｈＰｌａｙｅｒ、または、Ｍｉｃｒｏｓｏｆｔ社のＷｉｎｄｏｗｓＭｅｄｉａＰｌａｙｅｒ等で再生可能にするため、講演者の映像・音声、スライドイメージ、同期データに分け、講演者の映像・音声はストリーミングサーバに、スライド画像及び同期データはＷｅｂサーバにアップロードする（図２参照）。
【００５０】
前記同期スライド付き映像編集機１２の具体的内容は後述する。
【００５１】
図３はＢＢＶＩＳＴＡ２号２の詳細な機能である。図３に示す通り、Ｗｅｂ＆Ｓｔｒｅａｍｉｎｇサーバ１０にアップロードされた講演者の映像・音声、スライドイメージ、同期データを、インターネットを経由して一般的なＷＷＷブラウザ上で、プラグインツールを用いることで講演を閲覧することを可能とする。インターネットが不要な場合、インターネットを経由しないで該サーバーに接続されたＬＡＮ上で閲覧することも可能である。
【００５２】
ＢＢＶＩＳＴＡ２号２（同期スライド付映像・音声ストリーミング再生機）は、機能としては、講演者の映像と音声の自動再生機能、映像に同期した自動スライド表示機能、スライド番号とスライドタイトル表示機能、スライドの早送り、巻き戻しによる同期映像・音声自動再生機能、スライド番号またはスライドタイトルのＯＮＥクリック任意選択によるスライドタイトルに同期した映像音声の再生機能、映像音声の停止、再生機能、音声のｏｎ／ｏｆｆ機能、演題及び講演者名の表示機能、経過時間の表示機能、講演者映像の画面拡大／縮小機能、及び講演者へのメール発信機能を有する。該ＢＢＶＩＳＴＡ２号２（同期スライド付映像・音声ストリーミング再生機）の具体的な内容については後述する。
【００５３】
当該動画配信システムは会員サービスを目的としているため、会員登録と会員認証を必要とする。会員登録及び会員認証はインターネット上で一般的に行われている会員登録と会員認証法を用いる。例えば、会員登録には「名前」、「会員番号」、「パスワード」、「メールアドレス」、パスワード紛失などの場合に備え本人を確認するための「質問と答え」を会員クライアントより入力し、管理サーバに記録しておき、視聴者の識別子として使用することもできる。
【００５４】
次に、上記３チャネル一体型切換・圧縮ディジタル録画機６の具体的内容について図4ないし図6に基づいて説明する。ここで、図4は該３チャネル一体型切換・圧縮ディジタル録画機６の構成図の一例であり、図5は該３チャネル一体型切換・圧縮ディジタル録画機６が行う処理内容のフローチャートの一例であり、図6は該３チャネル一体型切換・圧縮ディジタル録画機６の操作画面の一例である。
【００５５】
図４に示すように、上記スタートボタンと、スイッチャー６aと、第一エンコーダ６ｂと、第二エンコーダ６ｃとを備えた該３チャネル一体型切換・圧縮ディジタル録画機６は、中央処理装置４０１と、ＲＡＭ４０２と、入力装置４０３と、出力装置４０４と、記憶部であるハードディスク４０５と、第一ディジタル入力と、第二ディジタル入力と、第三ディジタル入力とを備えている。
【００５６】
ハードディスク４０５には、図示しないＯＳ(オペレーティングシステム)やプログラム等の必要なソフトウェアが格納されており、これらはＲＡＭ４０２に展開される。また、該ハードディスク４０５には、後述する映像等が記録される。
【００５７】
中央処理装置４０１は、前記ＲＡＭ４０２に展開されたプログラム等の指令に基づき以下の処理を行う。なお、前記スタートボタンと、スイッチャー６aと、第一エンコーダ６ｂと、第二エンコーダ６ｃとは以下の処理の一部により実現可能である。また、本処理においては上記第一手段３をカメラＡ、第二手段４をカメラＢ、第三手段５をカメラＣとしている（図５及び図６において同じ）。さらに、中央処理装置４０１はディスプレイ等により実現される出力装置４０４に図６に示す操作画面を表示する。
【００５８】
本処理スタート後、中央処理装置４０１はカメラＡ、Ｂ、Ｃのキャプチャー及びディジタル(１３９４形式)入力の設定を行う（ステップＳ５０１）。これにより、第一ないし第三ディジタル入力より、カメラＡにより取り出され出力されたディジタル映像信号及びディジタル音声信号、カメラＢにより取り出され出力されたディジタル映像信号及びディジタル音声信号、及びカメラＣにより取り出され出力されたディジタル映像信号がそれぞれ順次入力される（キャプチャーする）。以下の本処理において、カメラＡから出力され第一ディジタル入力により入力された（キャプチャーした）映像をカメラＡキャプチャー映像といい、カメラＢから出力され第二ディジタル入力により入力された（キャプチャーした）映像をカメラＢキャプチャー映像といい、カメラＣから出力され第三ディジタル入力により入力された（キャプチャーした）映像をカメラＣキャプチャー映像という（図５及び図６において同じ）。そして、中央処理装置４０１はＲＡＭ４０２に該カメラＡキャプチャー映像、カメラＢキャプチャー映像、及びカメラＣキャプチャー映像を一時的に格納する。なお、ディジタル入力の形式は１３９４形式に限らず、適当なものを適宜用いる。
【００５９】
次に、中央処理装置４０１は前期ＲＡＭ４０２に一時的に格納されたカメラＡキャプチャー映像を読み出すとともに操作画面上のビデオ領域Ａに順次表示(該映像を再生)し(ステップＳ５０２、図６参照)、ステップＳ５０７に進む。
【００６０】
一方、中央処理装置４０１は前期ＲＡＭ４０２に一時的に格納されたカメラＢキャプチャー映像を読み出すとともに操作画面上のビデオ領域Ｂに順次表示(該映像を再生)し(ステップＳ５０３、図６参照)、ステップＳ５０７に進む。
【００６１】
一方、中央処理装置４０１は前期ＲＡＭ４０２に一時的に格納されたカメラＣキャプチャー映像を読み出すとともに操作画面上のビデオ領域Ｃに順次表示(該映像を再生)し(ステップＳ５０４、図６参照)、ステップＳ５０５に進む。
【００６２】
ステップＳ５０７において、中央処理装置４０１は録画対象カメラをＯＮＥクリックで切り替える。具体的には、中央処理装置４０１は、マウス及びキーボード等により実現される入力装置４０３により、操作画面上のメイン映像ウィンドウ内の「カメラＡ切替ボタン」又は「カメラＢ切替ボタン」(図６参照)が、クリック等(例えば、マウスによるＯＮＥクリック)で選択されたかを判断し、選択されればステップＳ５０８に進み（ステップＳ５０７のＹＥＳ）、選択されなければ再度ステップＳ５０７に戻る（ステップＳ５０７のＮＯ）。
【００６３】
ステップＳ５０８において、中央処理装置４０１は、前記「カメラＡ切替ボタン」又は「カメラＢ切替ボタン」のうち選択した方のカメラ映像を操作画面上のビデオ領域Ｄ(図６参照)に表示し、ステップＳ５０５に進む。すなわち、中央処理装置４０１は、前記「カメラＡ切替ボタン」を選択(例えば、マウスによるＯＮＥクリック)した場合は、カメラＡキャプチャー映像をビデオ領域Ｄ(図６参照)に表示（再生）し、前記「カメラＢ切替ボタン」を選択(例えば、マウスによるＯＮＥクリック)した場合は、カメラＢキャプチャー映像をビデオ領域Ｄ(図６参照)に表示（再生）する（図６参照）。なお、ステップＳ５０８において中央処理装置４０１は、ビデオ領域Ｄに表示された映像のカメラから取り出され、ＲＡＭ４０２に一時的に格納された音声もアナログ変換し、図示しないスピーカにアナログ出力される。
【００６４】
ステップＳ５０５において、中央処理装置４０１はビデオ領域Ｃに表示された映像と、ビデオ領域Ｄに表示された映像等との録画を同時開始し、ステップＳ５０６に進みさらにステップＳ５０９に進む。具体的には、操作画面上のコントロールウィンドウ内の「録画開始/停止ボタン」(図６参照)が、クリック等(例えば、マウスによるＯＮＥクリック)で選択されると、中央処理装置４０１はビデオ領域Ｃに表示された映像つまりカメラＣキャプチャー映像と、ビデオ領域Ｄに表示された映像等つまり前記操作画面上のカメラＡ切替ボタン等により選択されたカメラＡキャプチャー映像及びカメラＡにより取り出した音声、またはカメラＢキャプチャー映像及びカメラＢにより取り出した音声とを直接ストリーミング形式（例えばＦＬＶ形式等）に圧縮し、ハードディスク４０５に記録(圧縮録画)するとともに、操作画面上のメイン映像ウィンドウ内の「録画状態表示」(図６参照)に録画状態である旨(例えば「録画中」)を表示するとともに、操作画面上のコントロールウィンドウ内の「録画時間表示」(図６参照)に録画開始からの録画時間を表示する(ステップＳ５０６)。
【００６５】
さらに、ステップＳ５０９において、中央処理装置４０１は停止ボタンによる終了割込みを判断する。  具体的には、操作画面上のコントロールウィンドウ内の「録画開始/停止ボタン」(図６参照)が、クリック等(例えば、マウスによるＯＮＥクリック)で選択された場合、中央処理装置４０１は、終了割込みを出して本処理を終了する(ステップＳ５０９のＹＥＳ)。選択されない場合、ステップＳ５１０に進む。
【００６６】
一方、中央処理装置４０１は、マウス及びキーボード等により実現される入力装置４０３により、操作画面上のメイン映像ウィンドウ内の「カメラＡ切替ボタン」又は「カメラＢ切替ボタン」(図６参照)のうち、ビデオ領域Ｃに表示されていない映像の方の切替ボタンがクリック等(例えば、マウスによるＯＮＥクリック)で選択された場合、ステップＳ５１１に進み（ステップＳ５１０のＹＥＳ）、選択されなければ再度ステップＳ５１０に戻る（ステップＳ５１０のＮＯ）。
【００６７】
ステップＳ５１１において、中央処理装置４０１は、前記「カメラＡ切替ボタン」又は「カメラＢ切替ボタン」のうち選択した方のカメラ映像を操作画面上のビデオ領域Ｄ(図６参照)に表示し、ステップＳ５０６に戻る。すなわち、前記「カメラＡ切替ボタン」を選択(例えば、マウスによるＯＮＥクリック)した場合は、カメラＡキャプチャー映像をビデオ領域Ｄ(図６参照)に表示（再生）し、前記「カメラＢ切替ボタン」を選択(例えば、マウスによるＯＮＥクリック)した場合は、カメラＢキャプチャー映像をビデオ領域Ｄ(図６参照)に表示する（図６参照）。なお、ステップＳ５１１において中央処理装置４０１は、ビデオ領域Ｄに表示された映像のカメラから取り出され、ＲＡＭ４０２に一時的に格納された音声もアナログ変換し、図示しないスピーカにアナログ出力される。
【００６８】
そして、ステップＳ５０６において、中央処理装置４０１はビデオ領域Ｃに表示された映像つまりカメラＣキャプチャー映像と、ビデオ領域Ｄに表示された映像等つまり前記操作画面上のカメラＡ切替ボタン等により選択されたカメラＡキャプチャー映像及びカメラＡにより取り出した音声、またはカメラＢキャプチャー映像及びカメラＢにより取り出した音声とを直接ストリーミング形式（例えば、ＦＬＶ形式等）に圧縮し、ハードディスク４０５に記録(圧縮録画)する。これにより記録される映像及び音声が、カメラＡキャプチャー映像及びカメラＡにより取り出した音声からカメラＢキャプチャー映像及びカメラＢにより取り出した音声にまたはその逆に切り替わることになる。これにより、撮影現場で必要な映像を切り換えて録画することができることになる。
【００６９】
本処理のステップＳ５０７及びステップＳ５０８の処理とステップＳ５１０及びステップＳ５１１の処理とが上記スイッチャ−６aが行う処理であり、ステップＳ５０５が上記スタートボタンが行う処理であり、ステップＳ５０６の圧縮録画が上記エンコーダ６ｂ及び６ｃが行う処理である。
【００７０】
なお、図２、図４及び図５において、演者/司会者の映像及び音声が記録されているが、該映像及び音声は、演者専用の映像以外は上述のように適宜変わり得る。
【００７１】
次に、上記第四手段９の具体的内容について図１１ないし図１３に基づいて説明する。ここで、図１１は該第四手段９の構成図の一例であり、図１２は該第四手段９が行う処理内容のフローチャートの一例であり、図１３は該第四手段９の操作画面の一例である。
【００７２】
図１１に示すように、該第四手段９は、中央処理装置１１０１と、ＲＡＭ１１０２と、入力装置１１０３と、出力装置１１０４と、ハードディスク１１０５とを備えている。
【００７３】
ハードディスク１１０５には、図示しないＯＳ(オペレーティングシステム)やプログラム等の必要なソフトウェアが格納されており、これらはＲＡＭ１１０２に展開される。また、該ハードディスク１１０５には、後述する静止画及び又は動画スライドが記録される。
【００７４】
中央処理装置１１０１は前記ＲＡＭ１１０２に展開されたプログラム等の指令に基づき以下の処理を行う。なお、図２の資料画像変換についても、以下の処理の一部により実現される。また、本処理においては、上記第三手段５でスクリーンに映し出す予定の映像データを資料データという (図１２において同じ)。
【００７５】
まず、本処理のスタート後、中央処理装置１１０１は資料データ（ＪＰＧ,ＡＶＩ等）の読込み設定及び資料データの番号の初期値設定を行う(ステップＳ１２０１)。なお、資料データはパワーポイントに限らない。上記のように、他のプレゼンテーション用ソフトで作成した資料データでもよいし、スキャナー等により取り込んだ資料データでもよい。例えば、ＪＰＧ形式のような静止画データに変換された資料データとして、映像であれば、ＦＩＶ,ＡＶＩ形式の資料データとして、図１１に図示しない入力により入力され（ＣＤ−ＲＯＭドライブ等により入力する等、適した手段により入力される。）、ＲＡＭ１１０２に一時的に格納されるか、ハードディスク１１０５に格納され、必要に応じて中央処理装置１１０１により読み出される。なお、操作画面は、中央処理装置１１０１がディスプレイにより実現される出力装置１１０４に図１３のような画面として表示する。
【００７６】
資料データの読込み設定及び資料データの番号の初期値設定とは、該資料データを必要に応じて該資料を構成するスライドごとの資料データに分割し、適した形式のデータ（例えば、静止画であればＪＰＧ形式、映像であればＦＬＶ、ＡＶＩ形式）に変換し、静止画の中に含まれる映像の場合は、同一のスライドと認識させるために形式は違っても同じファイル名に設定し、該スライドごとに資料番号として番号を１から順に付けるために最初の資料番号を１に初期値化することをいう。また、資料イメージの大きさを設定とは、ネットワーク負荷を軽減し再生性能を高めるために、必要十分な解像度に設定することをいう。これらはマウス及びキーボード等により実現される入力装置１１０３を用いて行ってもよいし、中央処理装置１１０１が自動で行ってもよい。
【００７７】
次に、中央処理装置１１０１はＮ番目（最初は１番目）の前記資料データ（スライドごとの資料データで、前記適した形式に変換されたもの。以下、本処理に限り同じ。）の資料（スライド）イメージを操作画面中の領域Ａ（図１３参照）に表示するとともに、前記資料番号を領域Ｃの「表示中資料番号表示」(図１３参照)に表示する(ステップＳ１２０２)。なお、該Ｎ番目のＮと該資料番号の番号は対応している。例えば、３番目（Ｎ＝３）の場合、資料番号０３の資料データの資料(スライド)イメージが表示される。
【００７８】
次に、中央処理装置１１０１は該表示している資料（スライド）イメージが静止画であるか判断し(ステップＳ１２０３)、静止画であればステップＳ１２０８に進み、静止画でなければステップＳ１２０４に進む。判断の手法としては、該表示している資料（スライド）イメージの資料データのファイル形式により判断する。ファイル形式が、ＪＰＥＧ，ＧＩＦＦ等であれば該表示している資料（スライド）イメージが静止画と判断される。
【００７９】
ステップＳ１２０８において、中央処理装置１１０１は、マウス及びキーボード等により実現される入力装置１１０３により、操作画面上の領域Ｃ内の「資料１消去」（図１３参照）が、クリック等で選択されたかを判断する。選択されなかった場合(例えば、一定時間経過後)、該静止画の資料（スライド）イメージが採用されることになり、中央処理装置１１０１は該静止画をＮ番目静止画データとして設定された解像度に変換し、ＲＡＭ１１０２に一時的に記録され（ステップＳ１２０９）、Ｎ＝Ｎ＋１としてステップＳ１２０２に戻る（図１２参照）。選択された場合も、Ｎ＝Ｎ＋１としてステップＳ１２０２に戻る（ステップＳ１２０８のＹＥＳ）。
【００８０】
ステップＳ１２０４において、中央処理装置１１０１は前記表示している資料（スライド）イメージが動画であるか判断し、 動画であればステップＳ１２１０に進み、動画でなければステップＳ１２０５に進む。判断の手法としては、該表示している資料（スライド）イメージの資料データのファイル形式により判断する。ファイル形式が、ＦＬＶ，ＡＶＩ等であれば該資料データが動画と判断される。
【００８１】
ステップＳ１２１０において、中央処理装置１１０１は、マウス及びキーボード等により実現される入力装置１１０３により、操作画面上の領域Ｃ内の「資料１消去」（図１３参照）が、クリック等で選択されたかを判断する。選択されなかった場合(例えば、一定時間経過後)、該動画の資料（スライド）イメージが採用されることになり、中央処理装置１１０１は該動画をＮ番目動画データとして設定された解像度未満で最も近い変換可能な解像度に変換し、ＲＡＭ１１０２に一時的に記録され（ステップＳ１２１１）、Ｎ＝Ｎ＋１としてステップＳ１２０２に戻る（図１２参照）。選択された場合も、Ｎ＝Ｎ＋１としてステップＳ１２０２に戻る（ステップＳ１２１０のＹＥＳ）。
【００８２】
ステップＳ１２０５において、前記表示している資料（スライド）イメージが動画でも静止画でもない場合、中央処理装置１１０１は資料データ終了割り込みがあるかを判断する。具体的には、すべての資料データの資料（スライド）イメージの表示が終了した場合、操作画面上の領域Ａには何も表示されないため、動画でも静止画でもない場合となり、かつ、これにより資料データがない状態となり、中央処理装置１１０１は資料データ終了割り込みがあると判断し、ステップＳ１２０６に進む(ステップＳ１２０５のＹＥＳ)。
【００８３】
すべての資料データの資料（スライド）イメージの表示が終了していない場合で、資料データが動画でも静止画でもない場合(資料データが画像データに該当しない等の場合)、Ｎ＝Ｎ＋１としてステップＳ１２０２に戻る(ステップＳ１２０５のＮＯ)。
【００８４】
動画を含んだ静止画資料がある場合、静止画資料と同一のファイル名を持つ形式の違う動画ファイルをマウス及びキーボード等により実現される入力装置１１０３により手作業で静止画スライド番号と同じ番号下に挿入する(ステップＳ１２０６)。無い場合はステップＳ１２０７に進む。この場合、動画を表示する領域及び大きさは静止画上では黒く表示されており、その領域に対する動画ファイルの関連付けとその大きさに見合った解像度に動画ファイルを変換する。
【００８５】
ステップＳ１２０７において、中央処理装置１１０１は、書出し割り込みがあるか否かを判断する。具体的には、中央処理装置１１０１は操作画面上の領域Ｃにおける「書出し」部分(図１３参照)を点滅させ、マウス及びキーボード等により実現される入力装置１１０３により、該「書出し」部分（図１３参照）が、クリック等で選択されれば、書出し割り込みを出しステップＳ１２１２に進む(ステップＳ１２０７のＹＥＳ)。選択されない場合、中央処理装置１１０１は所定時間経過後に本処理を終了する(ステップＳ１２０７のＮＯ及びステップＳ１２１３)。
【００８６】
ステップＳ１２１２において、中央処理装置１１０１は、マウス及びキーボード等により実現される入力装置１１０３により、操作画面上の「資料ファイル名表示編集」(図１３参照)に資料ファイル名の入力がされ、該資料ファイル名を付記した上、前記ステップＳ１２０９及びステップＳ１２１１において記録した一又は複数のＮ番目静止画データ及びＮ番目動画データをＮの若い順に１から番号Ｍを付して静止画及び又は動画スライドのデータとして書出す(ハードディスク１１０５に記録する)。なお、書出す形式はＳＷＦ形式のほか、適したものを適宜使用する。さらに、中央処理装置１１０１は、上記書出しを行う。
【００８７】
次に、上記カット映像編集機７の具体的内容について図１４ないし図１６に基づいて説明する。ここで、図１４は該カット映像編集機７の構成図の一例であり、図１５は該カット映像編集機７が行う処理内容のフローチャートの一例であり、図１６は該カット映像編集機７の操作画面の一例である。
【００８８】
図１４に示すように、該カット映像編集機７は、中央処理装置１４０１と、ＲＡＭ１４０２と、入力装置１４０３と、出力装置１４０４と、ハードディスク１４０５とを備えている。
【００８９】
ハードディスク１４０５には、図示しないＯＳ(オペレーティングシステム)やプログラム等の必要なソフトウェアが格納されており、これらはＲＡＭ１４０２に展開される。また、該ハードディスク１４０５には、後述する講演者毎映像が記録される。さらに、中央処理装置１４０１はディスプレイ等により実現される出力装置１４０４に図１６に示す操作画面を表示する。
【００９０】
中央処理装置１４０１は前記ＲＡＭ１４０２に展開されたプログラム等の指令に基づき以下の処理を行う。なお、図２のカット映像編集７aについても、以下の処理の一部により実現される。また、本処理においては、上記３チャネル一体型切換・圧縮ディジタル録画機６から出力され、該カット映像編集機７に図示しない入力(LANを介したハードディスク)から入力される、第一手段３と第二手段４から取り出され、３チャネル一体型切換・圧縮ディジタル録画機６内で適宜切り換えられ、変換され、記録された映像及び音声を演者/司会者映像という(図１５及び図１６について同じ)。
【００９１】
スタート後、中央処理装置１４０１は入力された演者/司会者映像のデータを読込み設定し、かつ録画ファイル名（演者名毎）を設定する(ステップＳ１５０１)。具体的には、該中央処理装置１４０１は前記３チャネル一体型切換・圧縮ディジタル録画機６から出力され、該カット映像編集機７に図示しない入力(LANを介したハードディスク)より入力された演者/司会者映像のデータを、ハードディスク１４０５に格納またはＲＡＭ１４０２に一時的に格納する。中央処理装置１４０１は必要に応じて該データを読み出す。
【００９２】
さらに、中央処理装置１４０１は、マウス及びキーボード等により実現される入力装置１４０３により、操作画面上の領域Ｃ内の「録画ファイル名」（図１６参照）に入力された、演者毎の録画ファイル名をＲＡＭ１４０２に一時的に格納する。
【００９３】
次に、中央処理装置１４０１は、演者/司会者映像のデータをハードディスク１４０５またはＲＡＭ１４０２から読み出し、操作画面のビデオ領域Ａ(図１６参照)へ演者/司会者映像再生表示する（ステップＳ１５０２）。
【００９４】
次に、中央処理装置１４０１は、録画開始ポイントの決定の判断を行う(ステップＳ１５０３)。具体的には、中央処理装置１４０１は、マウス及びキーボード等により実現される入力装置１４０３により、操作画面上の領域Ｂ内の「録画開始決定」（図１６参照）をクリック等により選択すると(ステップＳ１５０３のＹＥＳ)、録画開始時間の決定、記録及び表示を行い(ステップＳ１５０４)、ステップＳ１５０５に進む。具体的には、中央処理装置１４０１は、録画開始時間をＲＡＭ１４０２に一時的に格納するか、ハードディスク１４０５に格納し、さらに、操作画面上の領域Ｃ内の「録画開始時間表示」に該録画開始時間を表示する（図１６参照）。なお、録画開始時間は中央処理装置１４０１が再生開始から順次表示する操作画面上のメインウィンドの「タイムラインの時間表示」に表示される録画開始のポイントの時間である（図１６参照）。また、既に該操作画面上の領域Ｂ内の「録画開始決定」（図１６参照）をクリック等により選択されている場合にもステップＳ１５０４に進み、ステップＳ１５０５に進む。
【００９５】
ステップＳ１５０５において、中央処理装置１４０１は、録画停止ポイントの決定の判断を行う。具体的には、中央処理装置１４０１は、マウス及びキーボード等により実現される入力装置１４０３により、操作画面上の領域Ｂ内の「録画停止決定」（図１６参照）をクリック等により選択すると(ステップＳ１５０５のＹＥＳ)、録画停止時間の決定、記録及び表示を行い(ステップＳ１５０６)、ステップＳ１５０８に進む。具体的には、中央処理装置１４０１は、録画開始時間をＲＡＭ１４０２に一時的に格納するか、ハードディスク１４０５に格納し、さらに、操作画面上の領域Ｃ内の「録画停止時間表示」に該録画停止時間を表示する（図１６参照）。なお、録画停止時間は中央処理装置１４０１が再生開始から順次表示する操作画面上のメインウィンドのタイムラインの時間表示に表示される時間である（図１６参照）。
【００９６】
ステップＳ１５０３及びステップＳ１５０５で録画開始又は録画停止のポイントがない場合(ステップＳ１５０３のＮＯ及びステップＳ１５０５のＮＯ)で、中央処理装置１４０１は、マウス及びキーボード等により実現される入力装置１４０３により、操作画面上の領域Ｂ内の「再生/早戻/早送/遅戻/遅送/停止」
（図１６参照）がクリック等により選択されると、上記操作画面のビデオ領域Ａ(図１６参照)に再生表示されている演者/司会者映像について該当部分に対応する操作を行う(例えば、早戻の部分を選択すると該映像を早戻しする。また、遅戻により微妙な映像の前後について調節ができる)。そして、「再生」の部分が選択されることにより、または、「早戻」等の選択が終わった事によりステップＳ１５０２に戻る。
【００９７】
ステップＳ１５０８において、中央処理装置１４０１は、マウス及びキーボード等により実現される入力装置１４０３により、操作画面上の領域Ｃ内の「録画開始ボタン」
（図１６参照）がクリック等により選択されると、前記記録された録画開始時間及び録画停止時間を読み出し、参照して該録画開始時間から該録画停止時間までの演者/司会者映像・音声を講演者毎映像・音声としてハードディスク１４０５に記録（録画）する。なお、記録形式については、ＦＬＶストリーミング形式等の適した形式に行う。
【００９８】
該記録の終了後、中央処理装置１４０１は終了割込みを出し(ステップＳ１５０９)、本処理を終了する。
【００９９】
次に、上記同期信号付きスライドタイトル編集機８の具体的内容について図７ないし図１０に基づいて説明する。ここで、図７は該同期信号付きスライドタイトル編集機８の構成図の一例であり、図８は該同期信号付きスライドタイトル編集機８が行う処理内容のフローチャートの一例であり、図９は該同期信号付きスライドタイトル編集機８の操作画面の一例である。さらに、図１０は、該同期信号付きスライドタイトル編集機８が作成する同期信号付きスライドタイトルのデータである。
【０１００】
図７に示すように、該同期信号付きスライドタイトル編集機８は、中央処理装置７０１と、ＲＡＭ７０２と、入力装置７０３と、出力装置７０４と、ハードディスク７０５とを備えている。
【０１０１】
ハードディスク７０５には、図示しないＯＳ(オペレーティングシステム)やプログラム等の必要なソフトウェアが格納されており、これらはＲＡＭ７０２に展開される。また、該ハードディスク７０５には、後述する同期信号付きスライドタイトルが記録される。
【０１０２】
中央処理装置７０１、前記ＲＡＭ７０２に展開されたプログラム等の指令に基づき以下の処理を行う。なお、図２の同期信号発生についても、以下の処理により実現される。また、本処理においては、上記３チャネル一体型切換・圧縮ディジタル録画機６により変換され、記録され、出力され、該同期信号付きスライドタイトル編集機８に入力された、第三手段５により取り出した映像については、資料映像という(図８及び図９において同じ)。さらに、上記第四手段９により出力され、該同期信号付きスライドタイトル編集機８に入力された、静止画及びまたは動画スライドのデータについては資料データという(図８において同じ)。該資料映像及び資料データは図示しない入力により入力されＲＡＭ７０２に一時的に格納するか、ハードディスク７０５に格納されており、必要に応じて中央処理装置７０１により読み出される。操作画面は、中央処理装置７０１がディスプレイ等により実現される出力装置７０４に図９のような画面として表示する。
【０１０３】
まず、本処理のスタート後、中央処理装置７０１は資料映像の時間情報と資料データの番号及び資料リスト番号の初期値設定を行う（ステップＳ８０１）。具体的には、マウス及びキーボード等により実現される入力装置７０３により、操作画面上の領域Ｄ内の「資料時間表示」
（図１６参照）に、上記カット映像編集機７で得られた録画開始時間及び録画停止時間が入力されると、中央処理装置７０１は資料映像の時間情報として、該録画開始時間を資料映像の再生開始時刻とし、該録画停止時間を資料映像の再生終了時刻として設定する(該時間情報を０とする)。また、中央処理装置７０１は前記第四手段９により作成された資料データの番号Mを該資料データの番号Ｘとして初期値設定する(最初は１とする)。さらに、資料リスト番号をZとして初期値設定する(最初を0とする)。
【０１０４】
次に、前記録画開始時間から資料映像を時間情報と関連付けて再生表示する(ステップＳ８０２)。具体的には、マウス及びキーボード等により実現される入力装置７０３により、操作画面上の領域Ｄ内の「再生/停止/一時停止」
（図１６参照）の「再生」がクリック等により選択されると、中央処理装置７０１は操作画面上の領域Ａに資料映像を前記録画開始時間から、時間情報と関連付けて再生表示する(資料映像が停止表示中の場合、再生表示が再開される)。なお、中央処理装置７０１は操作画面上の領域Ｄ内の経過時間表示に該時間情報を表示する。
【０１０５】
次に、中央処理装置７０１は再生表示している資料映像について画像の変化が有効であるか判断する(ステップＳ８０３)。具体的には、マウス及びキーボード等により実現される入力装置１４０３により、操作画面上の領域Ｄ内の「再生/停止/一時停止」
（図１６参照）の「一時停止」がクリック等により選択されると、中央処理装置７０１は操作画面上の領域Ａに再生表示している資料映像について画像の変化が有効であると判断し、ステップＳ８０４に進む(ステップＳ８０３のＹＥＳ)。また、中央処理装置７０１は前記「一時停止」がクリック等により選択されない限り、画像の変化が有効でないと判断し、ステップＳ８０２に戻り(ステップＳ８０３のＮＯ)、資料映像の再生表示が行われる。
【０１０６】
ステップＳ８０４において、中央処理装置７０１は、操作画面上の領域Ａ(図９参照)に再生表示している資料映像を停止表示し(ステップＳ８０４)、Ｘ番目(最初だったら一番目。)の資料データの資料(スライド)イメージを操作画面上の領域Ｂ(図９参照)に表示し(ステップＳ８０５)、ステップＳ８０６に進む。
【０１０７】
ステップＳ８０６において、中央処理装置７０１は、前記操作画面上の領域Ｂ(図９参照)に表示したＸ番目の資料データの資料(スライド)イメージが前記操作画面上の領域Ａ(図９参照)に停止表示している資料映像と一致しているかを判断する。具体的には、マウス及びキーボード等により実現される入力装置７０３により、操作画面上の領域Ｄ内の「資料リスト追加」
（図１６参照）がクリック等により選択されると、中央処理装置７０１は資料(スライド)イメージが資料映像と一致していると判断し、ステップＳ８０７に進み(ステップＳ８０６のＹＥＳ)、操作画面上の領域Ｄ内の「資料１後退」または「資料１前進」
（図１６参照）がクリック等により選択されると、資料(スライド)イメージが資料映像と一致していないと判断し、該「資料１後退」を選んだ場合はＹ＝Ｘ−１として、該「資料１前進」を選んだ場合はＹ＝Ｘ＋１として、ステップＳ８０８に進む(ステップＳ８０６のＮＯ)。
【０１０８】
ステップＳ８０７において、資料リスト番号Zを、Z=Z+1とする。次に、マウス及びキーボード等により実現される入力装置７０３により、操作画面上の領域Ｄ内の「資料名表示/編集」
（図１６参照）に資料タイトルが入力されると、中央処理装置７０１は、該資料タイトルを操作画面上の領域Ｄ内の「資料リスト」
（図１６参照）に資料リスト番号とともに追加表示し(例えば、Ｚ＝７、Ｘ＝７なら図９の該「資料リスト」内の「０６」の下の部分に「０７」を、図９の該「資料リスト」内の「資料０６」の部分の下に該資料タイトルを表示し)、  資料リスト番号Z、資料番号Ｘと該資料タイトルを時間情報に関連付けてＲＡＭ７０２に一時的に記録される。なお、記録形式についてはＸＭＬ形式のほか適した形式を適宜使用する。また、中央処理装置７０１は該資料タイトルが入力されない場合、「資料０１」と言うような「資料Ｘ」という資料タイトルを付記する。
【０１０９】
次に、中央処理装置７０１は資料映像終了割込みかを判断する。具体的には、マウス及びキーボード等により実現される入力装置７０３により、操作画面上の領域Ｄ内の「資料１消去」
（図１６参照）がクリック等により選択されると、中央処理装置７０１は終了割込みしないと判断し、Ｘ＝Ｘ−１としてステップＳ８０２に戻り（ステップＳ８１１のＮＯ）、操作画面上の領域Ｄ内の「資料全消去」
（図１６参照）がクリック等により選択されると、中央処理装置７０１は終了割込みしないと判断し、ステップＳ８０１に戻り（ステップＳ８１１のＮＯ）、さらに操作画面上の領域Ｄ内の「書出し」
（図１６参照）がクリック等により選択されると、中央処理装置７０１は終了割込みを出すと判断し、ステップＳ８１２に進み（ステップＳ８１１のＹＥＳ）、それ以外ではX＝X＋１としてステップＳ８０２に戻り（ステップＳ８１１のＮＯ）、操作画面上の領域Ｄ内の「再生/停止/一時停止」
（図１６参照）中の「再生」がクリック等により選択される。
【０１１０】
ステップＳ８０８において、中央処理装置７０１は、Ｙ番目(例えばＸ＝３だったらＸ−１＝２番目)の資料データの資料(スライド)イメージを操作画面上の領域Ｂ(図９参照)に表示し、ステップＳ８０９に進む。
【０１１１】
ステップＳ８０９において、中央処理装置７０１は、前記操作画面上の領域Ｂ(図９参照)に表示したＹ番目の資料データの資料(スライド)イメージが前記操作画面上の領域Ａ(図９参照)に停止表示している資料映像と一致しているかを判断する。具体的には、マウス及びキーボード等により実現される入力装置７０３により、操作画面上の領域Ｄ内の「資料リスト追加」
（図１６参照）がクリック等により選択されると、中央処理装置７０１は資料(スライド)イメージが資料映像と一致していると判断し、ステップＳ８１０に進み(ステップＳ８０９のＹＥＳ)、操作画面上の領域Ｄ内の「資料１後退」または「資料１前進」
（図１６参照）がクリック等により選択されると、資料(スライド)イメージが資料映像と一致していないと判断し、該「資料１後退」を選んだ場合はＹ＝Ｙ−１として、該「資料１前進」を選んだ場合はＹ＝Ｙ＋１として、ステップＳ８０８に戻る(ステップＳ８０９のＮＯ)。
【０１１２】
ステップＳ８１０において、資料リスト番号Zを、Z=Z+1とする。次に、マウス及びキーボード等により実現される入力装置７０３により、操作画面上の領域Ｄ内の「資料名表示/編集」
（図１６参照）に資料タイトルが入力されると、中央処理装置７０１は、該資料タイトルを操作画面上の領域Ｄ内の「資料リスト」
（図１６参照）に資料リスト番号とともに追加表示し(例えば、Ｚ＝７、Ｘ＝７でＹ＝６なら図９の該「資料リスト」内の「資料０７」の部分に該資料タイトル「資料０６」を表示し)、  資料リスト番号Z、資料番号Ｙと該資料タイトルを時間情報に関連付けてＲＡＭ７０２に一時的に記録される。なお、記録形式についてはＸＭＬ形式のほか適した形式を適宜使用する。また、中央処理装置７０１は該資料タイトルが入力されない場合、「資料０１」と言うような「資料Ｙ」という資料タイトルを付記する。
【０１１３】
なお、上記第四手段９により作成された資料データの番号Ｍを該資料データの番号Ｘとしているため、Ｍに対応する資料データと、Ｘに対応する資料データと、Ｙに対応する資料データとの資料（スライド）イメージは同一である。また、資料データの番号と資料番号は同じものをさしている(資料データの番号のことを資料番号と呼ぶ場合がある)。該資料データの番号は識別情報としての役割を有する。
【０１１４】
ステップＳ８１２において、中央処理装置７０１はＲＡＭ７０２に記録されたＸＭＬデータをハードディスク７０５に同期信号付スライドタイトルとして書出す。該書出されたデータが図１０である。図１０中の＜ｄＮｏ＞に続く数字が資料リスト番号であり、＜timeData＞に続く数字が時間情報であり、＜Name＞に続く「０１」、「０２」、「０３」等が、資料データの番号ＸもしくはＹであり、「資料０１」、「資料０２」、「資料０３」等が、資料データの資料タイトルである。
【０１１５】
次に、上記同期スライド付映像編集機１２の具体的内容について図１７ないし図１９に基づいて説明する。ここで、図１７は該同期スライド付映像編集機１２の構成図の一例であり、図１８は該同期スライド付映像編集機１２が行う処理内容のフローチャートの一例であり、図１９は該同期スライド付映像編集機１２の操作画面の一例である。
【０１１６】
図１７に示すように、該同期スライド付映像編集機１２は、中央処理装置１７０１と、ＲＡＭ１７０２と、入力装置１７０３と、出力装置１７０４と、ハードディスク１７０５とを備えている。
【０１１７】
ハードディスク１７０５には、図示しないＯＳ(オペレーティングシステム)やプログラム等の必要なソフトウェアが格納されており、これらはＲＡＭ１７０２に展開される。また、該ハードディスク１７０５には、後述する同期信号付き講演者映像が記録される。操作画面は、中央処理装置１７０１がディスプレイ等により実現される出力装置１７０４に図１９のような画面として表示する。
【０１１８】
中央処理装置１７０１、前記ＲＡＭ１７０２に展開されたプログラム等の指令に基づき以下の処理を行う。なお、図２の同期スライド付映像編集についても、以下の処理により実現される。また、本処理においては、上記同期信号付きスライドタイトル編集機８から出力され、該同期スライド付映像編集機１２に図示しない入力された、同期信号付きスライドタイトルについては、同期データという(図１８及び図１９において同じ)。さらに、上記第四手段９により出力され、該同期スライド付映像編集機１２に入力された、静止画及び又は動画スライドのデータについては資料データという(図１８において同じ)。さらに、上記カット映像編集機７により出力され、該同期スライド付映像編集機１２に入力された、講演者毎映像を演者映像という(図１８において同じ)。該同期データ及び資料データは図示しない入力により入力されＲＡＭ１７０２に一時的に格納するか、ハードディスク１７０５に格納されており、必要に応じて中央処理装置１７０１により読み出される。
【０１１９】
まず、本処理のスタート後、中央処理装置１７０１は、資料データの入力（ＳＷＦ形式のほか、適した形式のもの）、同期信号データの入力（ＸＭＬ形式のほか、適した形式のもの）、該同期信号に含まれる資料リスト番号、資料番号と資料タイトルと時間情報との初期設定、演者映像（ストリーミングＦＬＶ形式のほか、適した形式のもの）の初期設定、会議名及び演者名及び演者宛メールアドレスの初期設定を行う（ステップＳ１８０１）。
【０１２０】
具体的には、中央処理装置１７０１は、資料データとしての静止画・動画及び静止画に関連付けられた動画データを資料番号に関連付けて読み込みＲＡＭ１７０２に展開する。読み込まれた同期信号データに含まれる資料リスト番号、資料番号と資料タイトル及び時間情報をＲＡＭ１７０２へ展開する。演者映像（ストリーミング形式）については読込み再生表示可能な状態にする。
会議名及び演者名及び演者宛メールアドレスについては読込みＲＡＭ１７０２へ展開し、会議名及び演者名は図１９同期信号付映像編集機（画面）の所定の場所に表示する。
【０１２１】
次に中央処理装置１７０１は、前記時間情報と関連付けて前記演者映像を操作画面上の領域Ａ（図１９参照）にストリーミング再生表示する(ステップＳ１８０２)。さらに、中央処理装置１７０１は、操作画面上の領域ＤやＥ（図１９参照）に経過時間及び資料リストの表示を行う(ステップＳ１８０３)。資料リストは、同期信号データから資料リスト番号及び資料タイトルを取り出し表示する。
【０１２２】
次に中央処理装置１７０１は、前記時間情報からＰ番目の同期信号を検出した場合、ステップＳ１８０８に進む。また、該同期信号を検出しない限りステップＳ１８０５に進む(ステップＳ１８０４)。
【０１２３】
ステップＳ１８０８において、中央処理装置１７０１は同期信号データに含まれるＰ番目の資料データの番号(資料番号)に対応する資料データの資料(スライド)イメージを操作画面上の領域Ｂ（図１９参照）に表示し、操作画面上の領域Ｄ内の資料リスト中、上からＰ番目の資料タイトルを点滅させる等して強調する(ステップＳ１８０９)。
【０１２４】
次に、中央処理装置１７０１は任意番号選択による資料番号割込みを出すか判断する(ステップＳ１８１０)。具体的には、マウス及びキーボード等により実現される入力装置１４０３により、操作画面上の領域Ｄ内の資料リスト中の資料タイトルがクリック等により選択された場合(ステップＳ１８１０のＹＥＳ)、中央処理装置１７０１は任意番号選択による資料番号割込みを出すと判断し、選択した資料番号に前記領域Ｄに表示されている経過時間を時間情報として関連させ、前記同期信号データに該時間情報及び資料番号を加え(ステップＳ１８０７)、ステップＳ１８０２に戻る。一方、選択されなかった場合は、前記割込みを出さないと判断し、ステップＳ１８０５に進む(ステップＳ１８１０のＮＯ)。
【０１２５】
ステップＳ１８０５において、中央処理装置１７０１はその他の割込みを出すか判断する。割込みを出さない場合、ステップＳ１８０２に戻る(ステップＳ１８０５のＮＯ)。割込みを出す場合、ステップＳ１８０６に進む(ステップＳ１８０５のＹＥＳ)。割込みを出す場合は、例えば、中央処理装置１７０１は演者映像のストリーミングの再生が終わり領域Aに何も表示されなくなった場合に割込みを出す。
【０１２６】
ステップＳ１８０６において、中央処理装置１７０１はＵＰＬＯＡＤ用設定割込みを行うか判断する。具体的には、マウス及びキーボード等により実現される入力装置１４０３により、操作画面上の領域Ｄ内の「巻戻/早送/再生/停止」のうち例えば「停止」がクリック等により選択されれば、中央処理装置１７０１は、ＵＰＬＯＡＤ用設定割込みを行わないと判断し、前記領域Ａの演者映像の再生を停止し、ステップＳ１８０２に戻る(ステップＳ１８０６のＮＯ)他、操作画面上でマウス及びキーボード等により実現される入力装置１４０３により、資料タイトル等が編集されれば(図１８参照)、中央処理装置１７０１は、ＵＰＬＯＡＤ用設定割込みを行わないと判断し、ステップＳ１８０２に戻る(ステップＳ１８０６のＮＯ)。
【０１２７】
一方、マウス及びキーボード等により実現される入力装置１７０３により、操作画面上の領域Ｄ内の「ＵＰＬＯＡＤ設定」がクリック等により選択されれば、中央処理装置１７０１は、ＵＰＬＯＡＤ用設定割込みを行うと判断し、ステップＳ１８１１に進む（ステップＳ１８０６のＹＥＳ）。
【０１２８】
ステップＳ１８１１において、中央処理装置１７０１は、演者映像を例えばFLVストリーミング形式に設定し、資料データを例えばSWF形式に設定し、編集済み同期信号データを例えばＸＭＬ形式に設定し、会議名、演者名、演者宛メールアドレスを例えばXML形式設定し、ストリーミング再生制御プログラムを例えばＳＷＦ形式に設定する。これらは、同期信号スライド付講演者映像のデータとして、ハードディスク１７０５に中央処理装置１７０１により、記録される。
【０１２９】
記録されたこれらのデータの内、演者映像はＳｔｒｅａｍｉｎｇサーバへ、その他のデータの内、資料データ及び同期信号データはＷｅｂサーバへ、会議名、演者名、演者宛メールアドレスはストリーミング再生制御プログラムとともにＷｅｂサーバへ図示しないステップとして、インターネット公開サーバへＵｐｌｏａｄし、配信サービスが可能になる。
【０１３０】
次に、上記ＢＢＶＩＳＴＡ２号２(同期スライド付映像・音声ストリーミング再生機)の具体的内容について図２０ないし図２１に基づいて説明する。ここで、図２０は該同期スライド付映像・音声ストリーミング再生機の構成図の一例であり、図２１は該同期スライド付映像・音声ストリーミング再生機が行う処理内容のフローチャートの一例であり、図２２は図２の該同期スライド付映像・音声ストリーミング再生機の操作画面を詳しく描いた図の一例である。
【０１３１】
図２０に示すように、該同期スライド付映像・音声ストリーミング再生機は、中央処理装置２００１と、ＲＡＭ２００２と、入力装置２００３と、出力装置２００４と、ハードディスク２００５とを備えている。また、該同期スライド付映像・音声ストリーミング再生機は図示しない入出力によりＷｅｂ＆Ｓｔｒｅａｍｉｎｇサーバ１０と接続されている。
【０１３２】
ハードディスク２００５には、図示しないＯＳ(オペレーティングシステム)やプログラム等の必要なソフトウェアが格納されており、これらはＲＡＭ２００２に展開される。操作画面は、中央処理装置２００１がディスプレイ等により実現される出力装置１７０４に図２２のような画面として表示する。
【０１３３】
中央処理装置２００１、前記ＲＡＭ２００２に展開されたプログラム等の指令に基づき以下の処理を行う。また、本処理においては、Ｗｅｂ＆Ｓｔｒｅａｍｉｎｇサーバ１０にアップロードされた講演者映像・音声を演者映像といい、スライドイメージのデータを資料データといい、同期データを同期信号データという (図２１及び図２２において同じ)。
【０１３４】
まず、本処理のスタート後、中央処理装置２００１は、図示しない入力によりＷｅｂサーバから再生制御プログラム（ＳＷＦ形式のほか、適した形式のものでアップロードされたもの）をダウンロードし、該ダウンロードした再生制御プログラムをＲＡＭ２００２に展開し、以下の処理を行う。
【０１３５】
図示しない入力によりＷｅｂサーバから資料データ（ＳＷＦ形式のほか、適した形式のものでアップロードされたもの）のダウンロードをする、図示しない入力によりＷｅｂサーバから同期信号データ（ＸＭＬ形式のほか、適した形式のものでアップロードされたもの）のダウンロードをする、前記資料データや同期信号データに含まれる資料リスト番号と資料番号と資料タイトルと時間情報とを初期設定する、演者映像の初期設定（ストリーミングＦＬＶ形式のほか、適した形式のものでアップロードされたもの）をする、会議名、演者名、演者宛メールアドレスの初期設定を行う（ステップＳ２１０１）。なお、中央処理装置２００１は上記ダウンロードしたデータ及び上記初期設定したデータそれぞれを、ＲＡＭ２００２に一時的に格納するか、ハードディスク２００５に格納する。そして、必要に応じて該格納されたデータを読み出し使用する(図２０参照)。
【０１３６】
次に中央処理装置２００１は、前記時間情報と関連付けて前記演者映像を操作画面上の領域Ａ（図２２参照）にストリーミング再生表示する(ステップＳ２１０２)。ＲＡＭ２００２に後述する選択番号時間情報が一時的に格納されている場合、該選択番号時間情報の経過時間からストリーミング再生表示する。また、マウス及びキーボード等により実現される入力装置２００３により操作画面上の領域Ｄ内の「巻戻/早送」等がクリック等により選択され、巻戻等の操作が行われた場合、巻戻等された時間から再生表示する。さらに、中央処理装置２００１は、操作画面上の領域Ｄ（図２２参照）に経過時間及び資料リストの表示を行う(ステップＳ２１０３)。資料リストは、前記ダウンロードした同期信号データから資料タイトルを取り出し表示する。
【０１３７】
次に中央処理装置２００１は、前記時間情報からＱ番目の同期信号を検出した場合、ステップＳ２１０８に進む(ステップＳ２１０４のＹＥＳ)。また、該同期信号を検出しない限りステップＳ２１０５に進む(ステップＳ２１０４のＮＯ)。
【０１３８】
ステップＳ２１０８において、中央処理装置２００１は同期信号データに含まれるＱ番目の資料データの番号(資料番号)に対応する資料データの資料(スライド)イメージを操作画面上の領域Ｂ（図２２参照）に表示し、操作画面上の領域Ｄ内の資料リスト中、上からＱ番目の資料タイトルを点滅させる等して強調する(ステップＳ２１０９)。
【０１３９】
次に、中央処理装置２００１は任意番号選択による資料番号割込みを出すか判断する(ステップＳ２１１０)。具体的には、マウス及びキーボード等により実現される入力装置２００３により、操作画面上の領域Ｄ内の資料リスト中の資料タイトルがクリック等により選択された場合(ステップＳ２１１０のＹＥＳ)、中央処理装置２００１は任意番号選択による資料番号割込みを出すと判断し、選択した資料番号に対応する経過時間を選択番号時間情報として関連させ、ＲＡＭ２００２に一時的に格納し、ステップＳ２１０２に戻る。一方、選択されなかった場合は、前記割込みを出さないと判断し、ステップＳ２１０５に進む(ステップＳ２１１０のＮＯ)。
【０１４０】
ステップＳ２１０５において、中央処理装置２００１はその他の割込みを出すか判断する。割込みを出さない場合、ステップＳ２１０２に戻る(ステップＳ２１０５のＮＯ)。割込みを出す場合、ステップＳ２１０６に進む(ステップＳ２１０６のＮＯ)。割込みを出す場合は、例えば、中央処理装置２００１は演者映像のストリーミングの再生が終わり領域Aに何も表示されなくなった場合に割込みを出す。
【０１４１】
ステップＳ２１０６において、中央処理装置２００１は終了割込みを行うか判断する。具体的には、該演者映像のストリーミング再生が終了した場合、中央処理装置２００１は終了割込みを行い、本処理を終了する（ステップＳ２１０６のＹＥＳ）。また、マウス及びキーボード等により実現される入力装置２００３により、操作画面上の領域Ｅ内の「再生/停止/一時停止」のうち例えば「停止」がクリック等により選択されると、中央処理装置２００１は、前記領域Ａの演者映像の再生を停止し、ステップＳ２１０２に戻る(ステップＳ２１０６のＮＯ)他、操作画面上でマウス及びキーボード等により実現される入力装置２１０３により、その他のたとえば「音声ＯＮ/ＯＦＦ」等の操作が選択されると、中央処理装置２００１は、該当する操作を行い、ステップＳ２１０２に戻る(ステップＳ２１０６のＮＯ)。
【０１４２】
なお、本発明は上記実施例に限らない、例えば、上記３チャネル一体型切換・圧縮ディジタル録画機や上記同期信号付きスライドタイトル編集機８等は、一又は複数のコンピュータにより実現可能である。この場合は、上記で説明した処理を全部又は一部行わせる一又は複数のプログラムをコンピュータに持たせればよい。つまり、上記録画機や編集機すべてを一台のコンピュータにより実現可能であり、また、上記３チャネル一体型切換・圧縮ディジタル録画機のみ別で、その他の編集機は一台のコンピュータにより実現されることもある。
【図面の簡単な説明】
【０１４３】
【図１】本発明の一例における各システムの相関図である。
【図２】本発明の一例における学術会議向け同期スライド付き映像・音声収録編集機である。
【図３】本発明の一例における学術会議向け同期スライド付映像・音声ストリーミング再生機である。
【図４】３チャネル一体型切換・圧縮ディジタル録画機の構成図の一例である。
【図５】３チャネル一体型切換・圧縮ディジタル録画機が行う処理内容のフローチャートの一例である。
【図６】３チャネル一体型切換・圧縮ディジタル録画機の操作画面の一例である。
【図７】同期信号付きスライドタイトル編集機の構成図の一例である。
【図８】同期信号付きスライドタイトル編集機が行う処理内容のフローチャートの一例である。
【図９】同期信号付きスライドタイトル編集機の操作画面の一例である。
【図１０】同期信号付きスライドタイトル編集機が作成する同期信号付きスライドタイトルのデータである。
【図１１】第四手段の構成図の一例である。
【図１２】第四手段が行う処理内容のフローチャートの一例である。
【図１３】第四手段の操作画面の一例である。
【図１４】カット映像編集機の構成図の一例である。
【図１５】カット映像編集機が行う処理内容のフローチャートの一例である。
【図１６】カット映像編集機の操作画面の一例である。
【図１７】同期スライド付映像編集機の構成図の一例である。
【図１８】同期スライド付映像編集機が行う処理内容のフローチャートの一例である。
【図１９】同期スライド付映像編集機の操作画面の一例である。
【図２０】同期スライド付映像・音声ストリーミング再生機の構成図の一例である。
【図２１】同期スライド付映像・音声ストリーミング再生機が行う処理内容のフローチャートの一例である。
【図２２】同期スライド付映像・音声ストリーミング再生機の操作画面を詳しく描いた図の一例である。
【符号の説明】
【０１４４】
１  ＢＢＶＩＳＴＡ１号（同期スライド付映像・音声収録編集機）、
２  ＢＢＶＩＳＴＡ２号（同期スライド付映像・音声ストリーミング再生機）
３  第一手段
４  第二手段
５  第三手段
６  ３チャネル一体型切換・圧縮ディジタル録画機
６ａ  スイッチャー
６ｂ  第一エンコーダ
６ｃ  第二エンコーダ
７  カット映像編集機
７ａ  カット映像編集
８  同期信号付きスライドタイトル編集機
９  第四手段
１０  Ｗｅｂ＆Ｓｔｒｅａｍｉｎｇサーバ
１１  学術会議向け同期スライド付映像・音声ストリーミング再生機
１２  同期スライド付き映像編集機
１２a 同期スライド付映像編集
４０１  中央処理装置
４０２  ＲＡＭ
４０３  入力装置
４０４  出力装置
４０５  ハードディスク
７０１  中央処理装置
７０２  ＲＡＭ
７０３  入力装置
７０４  出力装置
７０５  ハードディスク
１１０１  中央処理装置
１１０２  ＲＡＭ
１１０３  入力装置
１１０４  出力装置
１１０５  ハードディスク
１４０１  中央処理装置
１４０２  ＲＡＭ
１４０３  入力装置
１４０４  出力装置
１４０５  ハードディスク
１７０１  中央処理装置
１７０２  ＲＡＭ
１７０３  入力装置
１７０４  出力装置
１７０５  ハードディスク
２００１  中央処理装置
２００２  ＲＡＭ
２００３  入力装置  
２００４  出力装置
２００５  ハードディスク
【図１】
2005176346.tif 000003
【図２】
2005176346.tif 000004
【図３】
2005176346.tif 000005
【図４】
2005176346.tif 000006
【図５】
2005176346.tif 000007
【図６】
2005176346.tif 000008
【図７】
2005176346.tif 000009
【図８】
2005176346.tif 000010
【図９】
2005176346.tif 000011
【図１０】
2005176346.tif 000012
【図１１】
2005176346.tif 000013
【図１２】
2005176346.tif 000014
【図１３】
2005176346.tif 000015
【図１４】
2005176346.tif 000016
【図１５】
2005176346.tif 000017
【図１６】
2005176346.tif 000018
【図１７】
2005176346.tif 000019
【図１８】
2005176346.tif 000020
【図１９】
2005176346.tif 000021
【図２０】
2005176346.tif 000022
【図２１】
2005176346.tif 000023
【図２２】
2005176346.tif 000024